(57)【要約】装飾フォイルは、層複合構造（１）の形態をしており、かつ透明なベースフォイル（２）と、透明なカバー層（４）と、ベースフォイル（２）とカバー層（４）との間に配置された透明な誘電体層（３）とを少なくとも備えている。上記装飾フォイルが基材（５）のための貼合せ用フォイルとして機能するときには、上記カバー層（４）の材料は接着剤である。反射性金属性層（６）が誘電体層（３）とカバー層（４）との間の少なくとも表面部分に配置され、また、必要に応じて金属フィルムが誘電体層（３）の、ベースフォイル（２）に面している側に配置されている。装飾フォイルによって示される一般情報項目は、誘電体層（３）の厚さ（ｓ）を変更することによって生成される。透明箇所（７）が個々の情報項目を形成し、これら透明箇所（７）は、レーザービーム（１９）によって金属層（６；１１）に孔をあけることによって生成される。装飾フォイルは、貼合せ用フォイルとして用いるだけでなく、包装用フォイルとしても用いることができる。
2004525785.tif 000002
【特許請求の範囲】
【請求項１】
透明なベースフォイル（２）と、透明なカバー層（４）と、前記ベースフォイル（２）と前記カバー層（４）との間に配置された透明な誘電体層（３）とを少なくとも備えた層複合構造（１）を有する装飾フォイルにおいて、
前記誘電体層（３）と前記カバー層（４）との間の少なくとも表面部分（７）に、金属性層（６）が配置されていることを特徴とする装飾フォイル。
【請求項２】
前記カバー層（４）が、前記層複合構造（１）を基材（５）上に接着するのに適していることを特徴とする請求項１記載の装飾フォイル。
【請求項３】
金属フィルム（１１）が、前記誘電体層（３）と前記ベースフォイル（２）との間の、少なくとも前記金属性層（６）の領域に配置されていることを特徴とする請求項１または２記載の装飾フォイル。
【請求項４】
前記金属フィルム（１１）が、アルミニウム、銀、金、クロム、銅、およびテルリウムからなる群の金属を含んでいることを特徴とする請求項３記載の装飾フォイル。
【請求項５】
前記金属フィルム（１１）が少なくとも５０％の透光性を有することを特徴とする請求項４記載の装飾フォイル。
【請求項６】
前記金属性層（６）が、アルミニウム、銀、金、クロム、銅、およびテルリウムからなる群の金属を含んでいることを特徴とする請求項１から５のいずれかに記載の装飾フォイル。
【請求項７】
前記金属性層（６）が、５０ｎｍと３００ｎｍとの間の範囲の厚さを有する層であることを特徴とする請求項６記載の装飾フォイル。
【請求項８】
前記層複合構造（１）が透明な熱可塑性樹脂のラッカー層（１０）をさらに備え、該ラッカー層（１０）がベースフォイル（２）の、前記誘電体層（３）に対向する面上に配置されていることを特徴とする請求項１から７のいずれかに記載の装飾フォイル。
【請求項９】
前記誘電体層（３）は、ＭｇＦ２，ＺｎＯ，ＳｉＯ，ＳｉＯ２，ＴｉＯ２，ＺｎＳからなる群の透明な誘電体の一つ、またはカルコゲナイド物質を含んでいることを特徴とする請求項１から８のいずれかに記載の装飾フォイル。
【請求項１０】
前記誘電体層（３）の厚さ（ｓ）が３００ｎｍ未満であることを特徴とする請求項９記載の装飾フォイル。
【請求項１１】
前記誘電体層（３）の厚さ（ｓ）が位置の関数であり、かつ前記層複合構造（１）の表面に沿って、２ｎｍ／ｃｍと２５０ｎｍ／ｃｍとの間の厚さ勾配をもって変化することを特徴とする請求項１から１０のいずれかに記載の装飾フォイル。
【請求項１２】
前記誘電体層（３）の厚さ（ｓ）が、少なくとも前記層複合構造（１）の表面に沿った（ｚ）方向に周期的に変化させられていることを特徴とする請求項１０または１１記載の装飾フォイル。
【請求項１３】
前記誘電体層（３）の部分的領域が、前記ベースフォイル（２）に対向する第１の境界面（１３）および／または前記カバー層（４）に対向する第２の境界面（１４）において、表面パターン（２７）の、光（１２）を回折する顕微鏡的に細密な浮彫り構造を備えていることを特徴とする請求項１から１２のいずれかに記載の装飾フォイル。
【請求項１４】
少なくとも前記金属性層（６）に対し、ラスタパターン、ドット／ラインパターン、または文字および数字（３３）ならびに紋章（３４）の形状に孔があけられて、該孔あけ箇所において前記層複合構造（１）が透明になっていることを特徴とする請求項１から１３のいずれかに記載の装飾フォイル。
【請求項１５】
前記層複合構造（１）内に配置されかつ前記誘電体層（３）に接触する金属層（６，１１）に対し、パルス状のエネルギービーム（１９）を用いて、該エネルギービーム（１９）の領域における金属を、前記層複合構造（１）の他の部分は損傷させることなしに蒸発させて局部的に孔をあけ、該金属層（６，１１）に対する孔あけによって、透明な箇所を生じさせることを特徴とする請求項１から１１のいずれかに記載の装飾フォイルの書込み方法。
【請求項１６】
前記誘電体層（３）に接する金属層（６，１１）に対し、点または線によるラスタの孔をあけ、該点または線によるラスタの孔の密度が所定のパターンに基づいて局部的に変化させることを特徴とする請求項１５記載の方法。
【請求項１７】
前記透明な箇所（７）または残部の反射性表面部分（３６）を文字および数字の形状に生成させることを特徴とする請求項１５または１６記載の方法。
【請求項１８】
身分証明カード（２８）の、表示を担持してなる表面（２９）に前記層複合構造（１）を貼合せした後に、初めて前記装飾フォイルの前記金属層（６，１１）に局部的に孔をあけることを特徴とする請求項１５から１７のいずれかに記載の方法。
【発明の詳細な説明】
【技術分野】
【０００１】
本発明は、請求項１および１５の前文に記載されている通りの装飾フォイルおよびこの装飾フォイルに対し書込みを行なう方法に関するものである。
【背景技術】
【０００２】
かかる装飾フォイルは、パスポート、身分証明カード、クレジットカード、紙幣等のような書類上のマーキングおよび印刻、写真、およびその他の表示の保障および防護用に、あるいは有価物の包装用に用いられる。
【０００３】
特許文献１には、鮮やかに浮彫りが施されかつ反射層によって覆われた光回折浮彫り構造に書込みを行なうことによって個別化することができる方法が記載されている。上記回折構造はレーザービームによって部分的に除去され、次いで接着性層で覆われる。この方法の欠点は、接着性層を設けることによって層複合構造を完成させる以前に個々の書込みを行なわなければならないことである。
【０００４】
また、金属でコーティングされた誘電体が、昼間光で輝かしい干渉色を反射させる干渉フィルタを形成することも知られている（特許文献２）。特許文献３には、文書類が本物であることを示す特徴としての多層干渉フィルタの適性について記載されている。特許文献４によれば、昼間光を回折させない構造体表面が、干渉色中では明るくなって人目を惹く包装用材料を得るためにこのような干渉フィルタで覆われている。
【０００５】
特許文献５には、合焦されたレーザー光を用いて文書に孔をあける方法が記載されている。文書に形成される孔の密度および孔径は原画のパターンによって決定される。この目的のためには、光学的センサが原画を検知し、認識された原画のグレートーンを、書類にあける孔密度および孔径に変換する。この方法により、文書を透かして見ることができかつ事実上偽造が不可能な画像、人物像または文字の像を生成させることができる。この方法の用途は非特許文献１に記載されている。
【０００６】
非特許文献２には、強力な微細集束レーザー光を用いて、基材自体は傷つけることなく、基材の表面上の色彩層を印刷画像から所定のパターンに取り除くことが記載されている。
【０００７】
特許文献６には、透明な反射層を備えた浮彫りにされたホログラムを含むプラスチックフォイルの層構造が記載されている。上記層構造および反射層に適した材料の概要が特許文献６に記載されている。
【０００８】
回折構造に関する反射性を増大させるための極めて高い屈折率を有する透明な誘電体が特許文献７から知られている。
【特許文献１】
米国特許第５,３３１,４４３号明細書
【特許文献２】
米国特許第２,５９０,９０６号明細書
【特許文献３】
米国特許第３,８５８,９７７号明細書
【特許文献４】
米国特許第３,３３８,７３０号明細書
【特許文献５】
国際公開第９８／１９８６９号パンフレット
【特許文献６】
欧州特許第０ ２０１ ３２３号明細書
【特許文献７】
国際公開第９９／４７９８３号パンフレット
【非特許文献１】
ダブリュー・ホスペル（Ｗ．Ｈｏｓｐｅｌ）著、「アプリケーション・オブ・レーザー・テクノロジー・トウ・イントロデュース・セキュリティ・フィーチャーズ・オン・セキュリティ・ドキュメンツ・イン・オーダー・トウ・リデュース・カウンターフィッティング（Application of laser technology to introduce security features on security documents in order to reduce counterfeiting）」プロシーディングズ・オブ・エスピーアイイー（Proceedings of SPIE）、第3314巻、１９９８年１月２８〜３０日、ｐ．２５４−２５９
【非特許文献２】
ジェイ・ディー・ブロンガーズ（Ｊ．Ｄ．Ｂｒｏｎｇｅｒｓ）著、「サーチ・フォー・エフェクティブ・ドキュメント・セキュリティ・バイ・インヴェンショニーリング（Search for effective document security by “inventioneering”）」プロシーディングズ・オブ・エスピーアイイー（Proceedings of SPIE）、第3314巻、１９９８年１月、ｐ．２９−３８
【非特許文献３】
オー・エス・ヘブンズ（Ｏ．Ｓ．Ｈｅａｖｅｎｓ）著、「オプティカル・プロパーティーズ・オブ・シン・ソリッド・フィルムズ（Optical properties of thin solid films）、バタワース・サイエンティフィック・パブリケーションズ、ロンドン（Butterworth Scientific Publications,London）、１９５５年、ｐ１５６−１７０
【発明の開示】
【発明が解決しようとする課題】
【０００９】
本発明の目的は、文書または包装の上に書込みを行ないまたは貼合せするのに適した安価な装飾フォイルを提供すること、および上記装飾フォイルに情報のアイテムを導入する方法を提供することにある。
【課題を解決するための手段】
【００１０】
本発明によれば、本発明は請求項１および１５の特徴部分に記載された特徴によって達成することができる。本発明の好ましい態様は従属請求項に記載されている。
【００１１】
本発明の実施形態を図面を参照しながら以下に詳述する。
【発明を実施するための最良の形態】
【００１２】
図１において、符号１は装飾フォイルの層複合構造、符号２はベースフォイル、符号３は誘電体層、符号４はカバー層、符号５は基材、符号６は金属性層、符号７は金属性層６のない透明な箇所、符号８は表示、符号９は基材５上の色彩領域をそれぞれ示す。基材５は、紙幣、身分証明書、パスポート、身分証明カード、クレジットカード等のような文書の少なくとも一部分である。
【００１３】
層複合構造１は、透明なベースフォイル２上に構築されている。簡素な実施形態の層複合構造１においては、ベースフォイル２の内側が透明な誘電体の薄い層３で完全に覆われている。誘電体層３の少なくとも一部の領域に反射性金属性層６が接している。この金属性層６は、誘電体層３の一部の領域のみに直接施してもよいし、先ず誘電体層３の全表面に施してからその一部の領域の外側部分を除去してもよい。層複合構造１は、誘電体層３および金属性層６をそれぞれカバー層４で覆うことによって、装飾フォイルに仕上げられる。
【００１４】
装飾フォイルが、基材５に貼合せされるようになっている場合には、カバー層４の材料は接着性を有する。層複合構造１は、カバー層４を介して基材５に接触し、カバー層４の接着剤の作用によって基材５に接合される。カバー層４は例えば熱融着性接着剤で構成され、この接着剤は、層複合構造１および基材５を温度１００℃に加熱することによって初めてその接着性を発揮する。かかる熱融着性接着剤は、ポリウレタンまたはポリエチレンベースのものを利用できる。層複合構造１の別の実施形態において、カバー層４の材料が低温接着剤であり、この接着剤は、層複合構造１を基材５に押し付けることによって活性化される。低温接着剤を使用することは、低温接着剤の塗布直後、カバー層４の自由表面が剥離フォイル（図示せず）で覆われることを意味する。剥離フォイルは、層複合構造１が基材５上に接触する以前に除去されなければならない。カバー層４に用いることができる材料は、特許文献６の１３頁に「接着性層」と題する部分に記載されている。
【００１５】
熱で貼合せ可能な装飾フォイルの実施の形態においては、ラッカー層１０とベースフォイル２との間に、図１に破線で示されている分離層１０′を備えているのが好ましく、この分離層１０′は、装飾フォイルが基材５上に貼合せされた後に、ベースフォイル２を引き剥がすことができるように、約５００ｎｍと1μｍとの間の厚さを有する。層複合構造１の基材５上に残る部分の厚さは２０μｍ未満である。
【００１６】
別の実施の形態においては、層複合構造１が、ベースフォイル２またはラッカー層１０と誘電体層３との間に透明な金属フィルム１１を備えている。この金属フィルム１１は、金属フィルム１１と金属性層６との間に誘電体層３が埋め込まれる態様で、第１境界層１３を覆っている。
【００１７】
ベースフォイル２の誘電体層側の面には透明なラッカー層１０を備えることができ、顕微鏡的に細密な表面パターンの浮彫りを形成することに関してラッカー層１０がベースフォイル２よりも適している場合に、誘電体層３に対する良好な接着のために、および／または、誘電体層３に対向するベースフォイル２の面のより容易な機械的変形性のために、上記ラッカー層１０が設けられる。上記表面パターンは、回折要素のモザイク状配置および分散または反射特性を備えた他の表面要素を含み、あるいはホログラムである。ラッカー層１０は、顕微鏡的に細密な表面パターンの浮彫りの輪郭高さの少なくとも約２倍の厚さになるように施され、ラッカー層１０の厚さは１５０ｎｍと２μｍとの間の範囲内にある。上記浮彫りを形成する作業は、誘電体層３を施す工程に先立って、あるいはこの工程の後で行なうことができ、金属性層６にのみ施すこともできる。
【００１８】
透明な材料は、光学的に清澄で可視光線の全スペクトルを伝送する材料（＝ガラスのように透き通った材料）か、あるいは全スペクトルのうちの或るスペクトル領域のみを伝送する材料（＝色のついた材料）かである。
【００１９】
幅約３０ｃｍと１２０ｃｍとの間の幅を有する市販の塩化ビニール（ＰＶＣ）、ポリカーボネート（ＰＣ）、ポリエチレン・テレフタレート（ＰＥＴＰ）、ポリエチレン（ＰＥ）、ポリプロピレン（ＰＰ）からなるフォイルテープ、またはその他の透明なプラスチック材料からなるフォイルがベースフォイル２として適している。これらのフォイルに共通しているのは、高度の透明性と、薄いフォイルであっても大きな引張り強度を有している点である。フォイル材料にもよるが、これらのフォイルの厚さは一般に２００μｍと僅か９μｍとの間の範囲内にある。これらの材料の屈折率ｎｄは１．５０と１．６０との間の範囲内か、あるいはこの範囲の十分のいくつか近傍にある。ベースフォイル２と層複合構造１の他の層との間の良好な接着が必須である。
【００２０】
ラッカー層１０は低粘度ラッカーの形態でベースフォイル２に施される。種々の透明ラッカーの具体例が、上述した特許文献６の５頁の「透明ホログラム形成層」と題して、溶剤を含むラッカーおよび溶剤を含まないラッカー、例えば紫外線硬化性ラッカーとともに引用されている。熱可塑性ラッカー層１０のための溶剤を含むラッカーは、特許文献６の１９頁１５行に述べられている。
【００２１】
一つの実施の形態においては、誘電体層３がほぼ一様の厚さｓに施され、その厚さｓは最大３００μｍ、通常の値は５０ｎｍと２００ｎｍとの間にある。電磁波スペクトルの可視部分において透明である適当な誘電体が、上述した特許文献６の表１に引用されている。選択された誘電体は、真空中で蒸着またはスパッタリングによってベースフォイル２またはラッカー層１０にそれぞれ施される。好ましい透明な誘電体は、ＭｇＦ２，ＺｎＯ，ＳｉＯ，ＳｉＯ２，ＴｉＯ２，ＺｎＳ，および特許文献によって知られておりかつ高屈折率で分類されるＧｅ３０Ｓｂ１０Ｓ６０（ｎ＝２．２５），Ａｓ５０Ｇｅ２０Ｓｅ３０（ｎ＝２．９５）およびＧｅ２０Ｓｂ２５Ｓｅ５５（ｎ＝３．１１）のようなカルコゲナイド材料である。ベースフォイル２に浸透して入射角αで層複合構造１内に入射する白色光は、ベースフォイル２またはラッカー層１０と金属フィルム１１または誘電体層３との間の第１の境界面１３で一部が反射し、かつ誘電体層３と金属性層６またはカバー層４との間の第２の境界面１４で反射するが、この場合の反射度合は、各境界面１３，１４における屈折率の変化における飛躍および入射角αによって決定される。誘電体層３に浸透しかつ第２の境界面１４で反射する光線１５は、第１の境界面１３ですでに反射した光線１６よりも長い距離を通過する。光線１５および，１６は、通過した距離の差によって位相差を有しており、そのことで干渉効果が生じる結果として、白色光１２のスペクトルから或る波長範囲が消失した反射光１７が光線１５，１６から発生する。したがって、昼間において装飾フォイルは、誘電体層３の厚さと、入射角αに等しい反射角βとに左右される干渉色を反射させる。もし金属性層６および／または金属フィルム１１が存在する場合には、反射光１７の干渉色の輝度が増大する。
【００２２】
さらなる実施の形態においては、誘電体層３が、これらの透明な誘電体に代り、ラッカー層１０に関して参照したラッカー材料の一つで構成されている。ベースフォイル２およびラッカー層１０のそれぞれの、ならびにカバー層４の屈折率が、誘電体層３に対して極めて僅か異なっているだけであると、干渉色の輝度は低い。したがって、誘電体層３が金属フィルム１１と金属性層６との間に配置されることが好ましい。
【００２３】
層複合構造１の別の実施の形態においては、ラッカー層１０と同じ材料が、接着剤に代わりカバー層４として施されている。かかるフォイルは独占的な商品および贈答品の包装用フォイルとして用いることができる。熱融着性接着剤を備えた装飾フォイルも包装に用いることができる。したがって、「装飾フォイル」は、装飾的貼合せ用フォイルと装飾的包装用フォイルとの双方を意味する。
【００２４】
浮彫りがラッカー層１０内に任意に形成された光学的に回折性を有する表面パターンを備えた顕微鏡的に細密な浮彫りは、第１および第２の境界面１３，１４において波長λの入射光を、波長λ、および回折格子ベクトル、浮彫り輪郭、空間周波数ｆ、方位角等のような回折格子パラメータによって決定される回折角γをもって回折させる。第１の境界面１３で回折された光は、第２の境界面で回折された光に比較して通過した距離の差を含んでいる。干渉効果により、回折角γでｍ次に回折された波長λの光は、表面パターンの一部が、明るい色に見える代わりに混色または灰色どころか黒に見えるように消滅する可能性がある。もし回折格子ベクトルが、角度αで入射する光１２の面内にある場合には、回折角γは、式γ＝±arcsin[ｍ・ｆ・λ＋sin（α）]で決定される。図１を単純化するために、回折効果の結果としての光線１２，１５，１６の方向変化は図示されていない。
【００２５】
金属性層６および金属フィルム１１は、アウミニウム、銀、金、クロム、銅およびテルリウムからなる好ましい群の金属で構成される。これらの金属は、金属性層６または金属フィルム１１の蒸着に適しており、層複合構造１内で化学的には反応しない。金属性層６は入射光線１２の大部分を反射させるためのものである。したがって、金属性層６の厚さＤは５０ｎｍ以上、好ましくは５０ｎｍと３００ｎｍとの間である。これに対して、金属フィルム１１は入射光線１２の大部分を透過させなければならないので、金属フィルム１１の層の厚さｄの値は５０ｎｍ未満、通常は厚さｄは５ｎｍと１５ｎｍの間の範囲内である。層の厚さＤおよびｄは、非特許文献３に記載されているように、金属の種類と、入反射光１２，１５の波長λとに左右される。特定の構造における金属性層６の厚さＤ（図１）は、金属フィルム１１のように薄いので、金属フィルム１１のように透明である。層複合構造１における反射率は、金属層６，１１を備えていない層複合構造１よりも高いが、完全に反射性の金属性層６を備えた装飾フォイルよりも低い。したがって、層複合構造１は、そのすべての表面領域に亘って色のある透明であり、色のついた光１７を反射させる。
【００２６】
書込み装置１８は、短焦点距離の合焦装置を備えた、例えばレーザー、光放射ダイオードのようなパルス性光源を含んでいる。上記光源から短時間に放射されたハイパワーのエネルギービーム１９は、エネルギービーム１９の焦点が、したがって最大パワー密度が金属性層６の領域に内にあるように合焦装置によって合焦される。エネルギービーム１９の軸線上の焦点の外側のパワー密度は急速に減衰する。薄い金属性層６および金属フィルム１１は、それらが存在する場合、金属の融点を超える温度に急速に加熱される。これらが冷えると、境界面１３，１４における金属が硬化して、肉眼では視ることができない微細な小滴を形成する。エネルギービーム１９は、層複合構造１の他の層ではなく、金属性層６および金属フィルム１１のみに孔をあけ、これによって、層複合構造１は孔の位置で透明な箇所７を備える。エネルギービーム１９の焦点における直径は通常数十μｍである。パルスの持続期間および供給されたパワーにより、このパルスによって生じる透明な箇所７の直径が決定される。その箇所に直接印加されるエネルギービーム１９の多数のパルスは、１ｍｍまでのサイズの円形の透明な箇所７、または幅が１ｍｍまでの直線状の透明な箇所を形成する。一方では、層複合構造１または基材５が損傷を受けないようにエネルギービーム１９の加熱作用が限定されて、誘電体層３において、またプラスチック層２，４，１０において、そして表示８または色彩領域９においては、エネルギービーム１９ができるだけ少ないエネルギーしか沈積させないように、エネルギービーム１９のパルスの持続期間、パワーおよび波長が選択され、他方では、それらが、エネルギービーム１９が金属性層６および金属フィルム１１に強く吸収されるように選択される。上記装置によって、層複合構造１を備えたフォイルテープの金属性層６の表面部分に対し書込みが可能になる。この目的のために、回転移動装置上で、フォイルテープは一方のロールから解かれて他方のロールに巻き取られる。一方のロールから他方のロールへの回転移動動作の間に、フォイルテープは、このフォイルテープの上方を横に変位可能なコンピュータ制御のエネルギービーム１９の下を通過して、層複合構造１内に所定のパターンの透明な箇所７が生成される。
【００２７】
図２に示された実施の形態において、層複合構造１は、装飾フォイルの移動方向ｘ（図４）に対して角度θ（図４）をなすｚ方向に関数Ｆ（ｚ）をもって変化された厚さ（ｓ）を有する誘電体層３を備えている。角度θは３０°と９０°との間の範囲の値である。関数Ｆ（ｚ）は、例えば図２に示されているように周期的で、ｚ方向に測定した周期ｐは、数ｃｍと数ｄｍとの間の長さであって、好ましくは１ｃｍ以上５０ｃｍ以下の範囲から選ばれる。この変化は、誘電体層３のための材料の不均一な蒸着によって生じる。関数Ｆ（ｚ）は、厚さｓの値を最小値Ｍと最大値Ａとの間で変化させる。例えば、最小値Ｍは５０ｎｍ以下の範囲であり、最大値Ａは１００ｎｍと３００ｎｍとの間の範囲である。したがって、厚さｓは、装飾フォイルの表面領域に沿って極めて緩やかに変化する。もし上述の値が、最小値Ｍ、最大値Ａおよび周期ｐに適用されたと仮定すると、図２に示された鋸歯状関数Ｆ（ｚ）については、厚さｓの勾配が２ｎｍ／ｃｍと２５０ｎｍ／ｃｍとの間の範囲にある。他の関数Ｆ（ｚ）については、厚さｓが最小値Ｍと最大値Ａとの間で厚さｓに関して最大の勾配で変化し、周期的な鋸歯状変化の場合と同じ範囲内で変化する。
【００２８】
上述したように、装飾フォイル（図１）で反射した光１７の色は、誘電体層３の厚さｓによって決まるので、反射光１７の色は、関数Ｆ（ｚ）によって与えられる厚さｓの変化に基づいて層複合構造１の領域に沿って変化する。かかる層複合構造１は、ベースフォイル２およびラッカー層１０のそれぞれにおける光学的回折表面パターンを伴うことにより、および伴わないでも、目立った印象を与える。もし、ｚ方向に変化された第１の誘電体層３が施された後に、例えばｚ方向を横切る方向に厚さが変化された、同じまたは異なる材料からなる第２の誘電体層が上記第１の誘電体層上に蒸着されるならば、特に目立つパターンが得られる。この実施例では、装飾フォイルの表面上の反射光１７には、網状の色パターンが現れる。
【００２９】
図３ａに示されている実施の形態においては、変化が２値的であり、すなわち誘電体層３が厚さｓ（図２）に関して単に二つの値を持っているだけである。背景面４０における薄い方の層はその厚さＳｍｉｎの値が２００ｎｍ未満であり、モチーフ面すなわち対象面４１における厚い方の層はその厚さＳｍａｘが１００ｎｍと３００ｎｍの間の範囲にあり、かつ厚さＳｍａｘは厚さＳｍｉｎよりも少なくとも２５ｎｍ厚い。特別の場合、Ｓｍｉｎ＝０、すなわち誘電体層３が備えているモチーフ面４１が繋がっておらず、かつ金属性層６を備えたまたは備えない背景面４０によって分断されている。一つの実施の形態においては、モチーフ面４１を備えかつ同一または異なる誘電体からなる主題またはモチーフは、一様に施された誘電体層３に対して設けられるので、誘電体層３は、モチーフのモチーフ面４１内においては厚さＳｍａｘであり、モチーフ面４１の外側においては厚さＳｍｉｎである。誘電体層３の厚さｓは、モチーフに応じて変化し、したがってモチーフに応じて変化される。層複合構造１を観察すると、ベースフォイル２を通じてモチーフを視ることができる。モチーフ面４１は、反射光１７（図１）の異なる干渉色によって背景面４０から区別される。モチーフ面４１の作成は、例えばマスク（図示せず）を通じて、あるいはそれ自体公知の印刷法を用いて誘電体の追加層を施すことによって有利に行なうことができ、その場合に、上述した透明なラッカーが所望の厚さＳｍａｘになるまでモチーフ面４１内に施されるのが好ましい。
【００３０】
もし、同じ誘電体により、または異なる誘電体により連続的に多層に施されたモチーフ面４１が重なり合っていると、モチーフ面４１の配置により、単数または複数の誘電体からなる層３の階段状に変化する。
【００３１】
図３ｂは誘電体層３の構造を示す平面図であり、図では浮き出たモチーフ面４１がラスタによって示されている。モチーフ面４１が４００dpi（＝１６ピクセル／ｍｍ）までの解像度を有するドットラスタで表されているラスタ画像４２以外にラインラスタで図示されているモチーフ面４１の寸法は通常０．３ｍｍよりも太い。もし画像４２のグレー値が点のラスタの密度で表される場合には、画像４２に関する原画として白・黒の写真を用いることができる。モチーフ面４１および／または画像４２はパターン４３を形成している。インクジェット印刷法に関連して言及すると、コンピュータ内に電子的形態で最初に格納されている原画によって、画像４２、文字および線のモチーフ面４１が誘電体層３上に転写される。
【００３２】
再び図１を参照する。層６はその層厚さＤのために、もはや実際には透明でないので、層複合構造１は金属性層６を備えた表面部分において、層複合構造１の下側にある表示８および色彩領域９を覆ってしまう。これに対して、透明な誘電体層３が直接カバー層４に接している他の表面領域において層複合構造１は透明である。透明な装飾フォイルの下側にある表示８、色彩領域９または基材５の表面２９は、色のついた反射光１７によって可視度が妨害されない限り、はっきりと視ることができる。
【００３３】
図４は、ｘ方向に延びる層複合構造１を備えたフォイルテープの一部分を示す。カバー層４（図２）および随意的な引剥がしフォイルを施した後に、幅広の装飾フォイルは、線２０，２１，２２に沿って所定の幅のストリップ２３に分割されて、出荷される。
【００３４】
図４の左側は、誘電体層３（図１）ができるだけ一様の厚さｓ（図１）を有する装飾フォイルの実施の形態を示す。ストリップ２３の実施の形態においては、誘電体層３が少なくとも第２の境界面１４（図１）におけるストリップ部分２４において金属性層６（図２）を備え、層複合構造１のストリップ状の領域２６，２６′は透明である。図４のストリップ２３においては、粗い点のラスタによって強調されたストリップ部分２４，２４′と領域２６，２６′とが破線によって分けられている。ストリップ部分２４は、金属性層６内で規則的に間隔をおいた窓面２５を備え、この窓面２５において層複合構造１は透明である。好ましい実施の形態においては、偽造に対する安全保障性を高めるために、上述した表面パターン２７の顕微鏡的に細密な浮彫りが窓面２５の領域に刻印されている。上記表面パターン２７は、窓面２５に隣接する領域であるストリップ部分２４の領域にはみ出してもよい。
【００３５】
図４の右側に示された別に実施の形態においては、誘電体層３の厚さｓがｚ方向に周期的に変化させられている。反射光中で異なる色に見えるストリップのパターンは、密なラスタ部分と粗いラスタ部分またはラスタのない部分とがそれぞれ交互に現れる図４のストリップ状の表面による絵画的手段を用いて強調されている。線２１または２２と、最も近い破線との間の領域２６′においては、誘電体層３が金属で覆われておらず、領域２６′は透明である。線２２とその左側の破線との間のストリップ２４′における粗いラスタは、金属性層６の存在を象徴的に表し、そのためストリップ２４′においては層複合構造１が不透明である。
【００３６】
層複合構造１のさらに別の実施形態においては、誘電体層３の全域が少なくとも金属性層６で覆われており、そのため装飾フォイル全体は強く色づけされ透明ではない。それぞれの使用目的によって、装飾フォイルは、幅が分割されない状態で、あるいは種々の異なる幅に分割された状態で販売される。
【００３７】
図５は、ベースフォイル２（図３ｂ）上から視たストリップ２３を示す。誘電体層３（図３ａ）の厚さｓの変化により、色の異なるパターン４３は、反射光１７（図１）中でパターン４３内および周囲の背景４０の干渉色より目立つ。図３ｂに示されたモチーフ４３が規則的な間隔で反復されている。
【００３８】
図６は、破線で示された、窓面２５を備えたストリップ２３が、身分証明カード２８の封印に用いられた場合を示す。身分証明カード２８は、貼合せ用フォイルで防護される表面２９（図１）上に、色彩領域９および表示（図１）とこの身分証明カード２８の所有者の写真３０の貼合せ領域とを備えた基材５（図１）を有する。この表示８は、テキスト領域３１におけるカード発行者に関する一般的な細目である。カードの発行時、写真が基材５上にそのために設けられた領域に貼合せされ、かつ例えばカード所有者の名前およびこの場合は彼の識別番号である「１２３−Ｂ−１０」がラベリングストリップ３２に書き込まれる。身分証明カード２８に対する後からの改変を防止するために、写真３０が窓面２５を通して見え、かつラベリングストリップ３２が領域２６を通して見えるように、ストリップ２３の貼合せ用フォイルの一部分がカードに貼合せされる。テキスト領域３１および色彩領域９は、貼合せ用フォイルのストリップ部分２４の不透明な表面で覆われる。身分証明カード２８この貼合せ作業の後、身分証明カード２８は、貼合せ用フォイルから何も突出しないように切断される。
【００３９】
貼合せ用フォイルの断片も、パスポート、ビザカード、紙幣、包装等に用いられる。これらの用法を身分証明カードの例を参照して下記に説明する。
【００４０】
貼合せ用フォイルの下側の例えばテキスト領域３１内の表示８、および特別な窓面２５が貼合せ用フォイルに形成されていない場合の写真３０が、層複合構造１の透明箇所を通して見えるように透明な箇所７（図１）を所定のラスタパターンで形成するために、座標制御システムを用いて書き込まれるべき層複合構造１の表面の上方に書込み装置１８（図１）が配置される。
【００４１】
例えば文字と数字３３、紋章３４、バーコード３５またはラスタ画像のようなさらなる個々の情報アイテムも、書込み装置１８のエネルギービーム１９（図１）を用いた金属性層６（図１）の破壊によって、身分証明カード２８上の反射ストリップ部分２４の領域に有利に書き込まれる。透明箇所７（図１）を通して下にある面２９の色を見ることができる。透明箇所７は、表面２９の不変の色によって層複合構造１の反射表面部分３６からはっきりと目立つ点および／または線のパターンを形成する。点および／または線のパターンに代り、透明箇所７は、文字と数字３３、紋章３４、バーコード３５の形状をも有し、表面２９の色で見ることができる。図示された具体例においては、文字３３が、色彩領域９の上方のラベリングストリップ部分３２から生じた「１２３−Ｂ−１０」である。別の実施の形態では、長方形の透明部分７と、これら透明部分７を区切る幅の異なる反射表面部分３６とがバーコード３５を構成し、この場合、長方形の透明部分７がバーを表し、反射表面部分３６がバーコード３５中の分離スペースを表す。紙幣の場合には連番が、貼合せ用フォイルが貼り付けられた後、目視可能にコード化された形態のおよび／または機械読取り可能に書き込まれる個々の要素である。
【００４２】
別の実施の形態においては、書きみ装置１８は前述の特許文献５から公知の装置を備えており、原画像を読み取り、原画像をラスタに配置される小さな画素（＝ピクセル）に分解し、原画像の画像が層複合構造１内に形成されるように、層複合構造１内の金属性層６内の同じラスタの円形領域の形状で透明箇所７を形成する。ピクセルのグレー値は、異なる直径の透明な円形領域によって再生される。４００dpi（＝１６ピクセル／ｍｍ）の解像度が得られた。
【００４３】
貼合せ用フォイルは、窓面２７の領域に例えば波縞模様の形態の光学的回折表面模様２７をさらに備えている。波縞模様を備えた窓面２７は、写真のための領域に決して正確には位置してはいないので、写真３０を交換すると（偽造を試みる範囲での）、波縞模様の線が分断されるために、見分けが可能である。さらに別の実施の形態において、貼付用フォイルは誘電体層３の厚さｓの変化（図２）および／または、ストリップ模様または網目模様の周期的な変化によって生じるパターン４３を備えている。
【００４４】
上記装飾フォイルが、後に貼合せ用フォイルとして用いられようと、あるいは包装用フォイルとして用いられようと、前述した回転移動装置上で装飾フォイルに前述のパターンを書き込むことができる。一つの用途は、ロゴまたは包装される製品の商標を包装用フォイルにラベル標示することである。
【００４５】
単一の誘電体からなる誘電体層３（図１）の代りに、例えば特許文献３から知られているような、複数の誘電体層を含む誘電体層３も、本発明の精神から離れることなく、上記説明に含まれている。
【図面の簡単な説明】
【００４６】
【図１】基材上の装飾フォイルを示す断面図である。
【図２】装飾フォイルの別の実施の形態を示す断面図である。
【図３ａ】装飾フォイル内のモチーフまたは主題を示す断面図である。
【図３ｂ】装飾フォイル上のモチーフを示す平面図である。
【図４】装飾フォイルの構造を示す平面図である。
【図５】装飾フォイルテープを示す平面図である。
【図６】装飾フォイルを貼合せした文書を示す図である。
【符号の説明】
【００４７】
１    層複合構造
２    ベースフォイル
３    誘電体層
４    カバー層
５    基材
６    反射性金属性層
７    透明箇所
８    表示
１０    ラッカー層
１１    金属フィルム
１９    エネルギービーム
２８    身分証明カード
【国際公開パンフレット】
2004525785.tif 000003
2004525785.tif 000004
2004525785.tif 000005
2004525785.tif 000006
2004525785.tif 000007
2004525785.tif 000008
2004525785.tif 000009
2004525785.tif 000010
2004525785.tif 000011
2004525785.tif 000012
2004525785.tif 000013
2004525785.tif 000014
2004525785.tif 000015
2004525785.tif 000016
2004525785.tif 000017
2004525785.tif 000018
2004525785.tif 000019
2004525785.tif 000020
2004525785.tif 000021
2004525785.tif 000022
2004525785.tif 000023
2004525785.tif 000024
2004525785.tif 000025
2004525785.tif 000026
【国際調査報告】
2004525785.tif 000027
2004525785.tif 000028
2004525785.tif 000029
2004525785.tif 000030
2004525785.tif 000031
2004525785.tif 000032